(57)【要約】【課題】ロック機構が簡単で組立てが簡易なガスライターを提供する。【解決手段】着火ボタン２の上面と側面を覆う上壁３１と側壁３２ａ，３２ｂならびに横方向ｙに突出する係止体３３ａ，３３ｂを持つロックキャップ３と、ケース１の内部にあって、ロックキャップがロック位置にあるときその係止体の下方に位置して係止体の下降を阻止し、ロックキャップがロック位置から横方向ｙに移動したアンロック位置にあるときには係止体の下方移動軌跡の外にあるストッパ８ａとを備え；横方向ｙに伸びる摺動案内溝２１ａ，２１ｂとそれに嵌り横方向ｙに延びる係止条体３３ａ，３３ｂの一方を着火ボタンの側面に、他方をロックキャップの側壁に設けた。実施例では、摺動案内溝を着火ボタンに、係止条体をロックキャップに設けて、係止体を係止条体と一体連続として、係止条体の先端とした。【選択図】  図３
2004163067.tif 000002
【特許請求の範囲】
【請求項１】
燃料槽に組み付けた燃料ガス放出ノズルを操作するレバー，該レバーをガス放出位置に駆動するための着火ボタン、および、該燃料槽およびレバーを内蔵し上端隅部が開いたライターケース、を備え、該ライターケースの該上端隅部に前記着火ボタンが上下方向ｚに移動可に組み込まれたガスライターにおいて、
着火ボタンの上面と側面を覆う上壁と側壁ならびに横方向ｙに突出する係止体を持つロックキャップと、前記ライターケースの内部にあって、前記ロックキャップがロック位置にあるときその係止体の下方に位置して係止体の下降を阻止し、前記ロックキャップがロック位置から横方向ｙに移動したアンロック位置にあるときには係止体の下方移動軌跡の外にあるストッパとを備え；
横方向ｙに伸びる摺動案内溝とそれに嵌り横方向ｙに延びる係止条体、の一方を前記着火ボタンの側面に、他方を前記ロックキャップの側壁に設けた；
ことを特徴とするガスライター。
【請求項２】
燃料槽に組み付けた燃料ガス放出ノズルを操作するレバー，該レバーをガス放出位置に駆動するための着火ボタン、および、該燃料槽およびレバーを内蔵し上端隅部が開いたケース、を備え、該ケースの該上端隅部に前記着火ボタンが上下方向ｚに移動可に組み込まれたガスライターにおいて、
前記着火ボタンの側面に、横方向ｙに伸びる摺動案内溝を設け；
該着火ボタンの上面と側面を覆う上壁と側壁ならびに前記摺動案内溝に嵌り横方向ｙに突出する係止条体を持つロックキャップと、前記ライターケースの内部にあって、前記ロックキャップがロック位置にあるときその係止条体の先端の下方に位置して係止条体の下降を阻止し、前記ロックキャップがロック位置から横方向ｙに移動したアンロック位置にあるときには係止条体の下方移動軌跡の外にあるストッパとを備えた；
ことを特徴とするガスライター。
【発明の詳細な説明】
【０００１】
【発明の属する技術分野】
本発明は、ガスライターに関し、特に、燃料槽に組み付けた燃料ガス放出ノズルを操作するレバー，該レバーをガス放出位置に駆動するための着火ボタン、および、該燃料槽およびレバーを内蔵し上端隅部が開いたケース、を備え、該ケースの該上端隅部に前記着火ボタンが上下方向ｚに移動可に組み込まれたガスライターに関する。
【０００２】
【従来の技術】
この種のガスライターでは、本体ケースを手で握り、着火ボタンを下方に押し下げるとき、燃料ガス放出ノズルから燃料ガスの放出がはじまり、その前又は後にフリント火花あるいは高圧電気スパークが発生して燃料ガスが着火し、上方に向けて、あるいは側方に向けて、炎が出る。
【０００３】
着火ボタンの押し操作のみで炎が出ると、安全性に問題を生ずる場合があるかもしれないとして、従来より、ロック機構あるいは安全機構を付加する提案がある。
【０００４】
【特許文献１】特表２００２−５２７７０９号公報に開示のライターは、着火ボタンにラッチ部材を揺回動するように結合し、ラッチ部材を回動させることによりラッチ部材の降下が可能となるロック機構を採用している。
【０００５】
【特許文献２】特開２００１−４１４４９号公報に開示のガスライターは、着火ボタンの側面に横方向に摺動可能にスライド式のストッパを結合し、ライター本体の上端に固着したやぐらに、該ストッパの下降を妨げる突出部を設けている。ストッパをロック位置に置いているときには、着火ボタンの下方移動をストッパと突出部で妨げ、ストッパを横方向にスライドしてアンロック位置に置くと着火ボタンの下方移動すなわち着火操作が可能となる。
【０００６】
【特許文献３】特開２００１−９９４２５号公報に開示のライターは、着火ボタンにロック用ばね板を装備して、外広がりにしてケース内壁の段差部で下降を阻止し、着火ボタンの側面に沿って降下できるロック解除部材でロック用ばね板の外広がりを内向きに押えてケース内壁の段差部からはずして着火ボタンの下降を可能にする安全ロック機構を備えている。
【０００７】
【発明が解決しようとする課題】
いずれも着火ボタン周りの機構が複雑であり、組立てに手間がかかる。本発明は、ロック機構が簡単で組立てが簡易なガスライターを提供することを目的とする。
【０００８】
【課題を解決するための手段】
（１）燃料槽（４）に組み付けた燃料ガス放出ノズル（４２）を操作するレバー（６），該レバーをガス放出位置に駆動するための着火ボタン（２）、および、該燃料槽およびレバーを内蔵し上端隅部が開いたライターケース（１）、を備え、該ライターケースの該上端隅部に前記着火ボタン（２）が上下方向ｚに移動可に組み込まれたガスライターにおいて、
着火ボタン（２）の上面と側面を覆う上壁（３１）と側壁（３２ａ，３２ｂ）ならびに横方向ｙに突出する係止体（３３ａ，３３ｂ）を持つロックキャップ（３）と、前記ライターケース（１）の内部にあって、前記ロックキャップ（３）がロック位置にあるときその係止体（３３ａ，３３ｂ）の下方に位置して係止体（３３ａ，３３ｂ）の下降を阻止し、前記ロックキャップ（３）がロック位置から横方向ｙに移動したアンロック位置にあるときには係止体（３３ａ，３３ｂ）の下方移動軌跡の外にあるストッパ（８ａ）とを備え；
横方向ｙに伸びる摺動案内溝（２１ａ，２１ｂ）とそれに嵌り横方向ｙに延びる係止条体（３３ａ，３３ｂ）、の一方を前記着火ボタン（２）の側面に、他方を前記ロックキャップ（３）の側壁（３２ａ，３２ｂ）に設けた；
ことを特徴とするガスライター。
【０００９】
なお、理解を容易にするためにカッコ内には、図面に示し後述する実施例の対応又は相当要素又は部材の符号を、参考までに付記した。以下も同様である。
【００１０】
これによれば、着火ボタン（２）の頭部にロックキャップ（３）を被せるように、着火ボタン（２）に対してロックキャップ（３）を結合し、このとき係止条体（３３ａ，３３ｂ）を摺動案内溝（２１ａ，２１ｂ）に嵌め込む。これにより、ロックキャップ（３）が、着火ボタン（２）に、それに対して横方向ｙに移動可能に結合する。このように、ロックキャップ（３）の組みつけは簡易であり、ガスライターの組立て作業を簡略にできる。
【００１１】
上記のように結合してからロックキャップ（３）をロック位置に置いたときには、ロックキャップ（３）に、下方の駆動しようとする力が加わっても、ロックキャップ（３）の係止体（３３ａ，３３ｂ）がストッパ（８ａ）に当るので、下移動が妨げられる。
【００１２】
ロックキャップ（３）をロック位置から横方向ｙにスライドさせてアンロック位置に置くと、ロックキャップ（３）の係止体（３３ａ，３３ｂ）がストッパ（８ａ）の外に外れるので、ロックキャップ（３）が下方移動可能になる。この状態でロックキャップ（３）の上面を押し下げると、ロックキャップ（３）と一体で着火ボタン（２）が降下し、これによってレバー（６）が駆動されて燃料ガス放出ノズル（４２）がガス放出位置に移動し、ノズル（４２）から燃料ガスが出る。
【００１３】
したがって、ロックキャップ（３）の上面壁に親指を当ててまず横方向ｙに、そして下方向ｚにロックキャップ（３）を動かすことにより、ノズル（４２）から燃料ガスを出して着火することができる。この横移動と下移動は一連に行うことができ、操作性が良い。
【００１４】
【発明の実施の形態】
（２）燃料槽（４）に組み付けた燃料ガス放出ノズル（４２）を操作するレバー（６），該レバーをガス放出位置に駆動するための着火ボタン（２）、および、該燃料槽およびレバーを内蔵し上端隅部が開いたライターケース（１）、を備え、該ライターケースの該上端隅部に前記着火ボタン（２）が上下方向ｚに移動可に組み込まれたガスライターにおいて、
前記着火ボタン（２）の側面に、横方向ｙに伸びる摺動案内溝（２１ａ，２１ｂ）を設け；該着火ボタン（２）の上面と側面を覆う上壁（３１）と側壁（３２ａ，３２ｂ）ならびに前記摺動案内溝（２１ａ，２１ｂ）に嵌り横方向ｙに突出する係止条体（３３ａ，３３ｂ）を持つロックキャップ（３）と、前記ライターケース（１）の内部にあって、前記ロックキャップ（３）がロック位置にあるときその係止条体（３３ａ，３３ｂ）の先端の下方に位置して係止条体（３３ａ，３３ｂ）の下降を阻止し、前記ロックキャップ（３）がロック位置から横方向ｙに移動したアンロック位置にあるときには係止条体（３３ａ，３３ｂ）の下方移動軌跡の外にあるストッパ（８ａ）とを備えた；
ことを特徴とするガスライター。
【００１５】
これによれば、着火ボタン（２）の頭部にロックキャップ（３）を被せるように、着火ボタン（２）に対してロックキャップ（３）を結合し、このときロックキャップ（３）の係止条体（３３ａ，３３ｂ）を着火ボタン（２）の摺動案内溝（２１ａ，２１ｂ）に嵌め込む。これにより、ロックキャップ（３）が、着火ボタン（２）に、それに対して横方向ｙに移動可能に結合する。このように、ロックキャップ（３）の組みつけは簡易であり、ガスライターの組立て作業を簡略にできる。
【００１６】
上記のように結合してからロックキャップ（３）をロック位置に置いたときには、ロックキャップ（３）に、下方の駆動しようとする力が加わっても、ロックキャップ（３）の係止条体（３３ａ，３３ｂ）の先端がストッパ（８ａ）に当るので、下移動が妨げられる。
【００１７】
ロックキャップ（３）をロック位置から横方向ｙにスライドさせてアンロック位置に置くと、ロックキャップ（３）の係止条体（３３ａ，３３ｂ）の先端がストッパ（８ａ）の外に外れるので、ロックキャップ（３）が下方移動可能になる。この状態でロックキャップ（３）の上面を押し下げると、ロックキャップ（３）と一体で着火ボタン（２）が降下し、これによってレバー（６）が駆動されて燃料ガス放出ノズル（４２）がガス放出位置に移動し、ノズル（４２）から燃料ガスが出る。
【００１８】
したがって、ロックキャップ（３）の上面壁に親指を当ててまず横方向ｙに、そして下方向ｚにロックキャップ（３）を動かすことにより、ノズル（４２）から燃料ガスを出して着火することができる。この横移動と下移動は一連に行うことができ、操作性が良い。
【００１９】
本発明の他の目的および特徴は、図面を参照した以下の実施例の説明より明らかになろう。
【００２０】
【実施例】
図１の、（ａ），（ｄ）および（ｇ）に、本発明の１実施例の外観を示す。（ａ）は使用しない状態の、ロックキャップ３をロック位置に置いた外観を示し、（ｄ）はロックキャップ３を横方向ｙに駆動してアンロック位置に置いた外観を示し、（ｇ）はロックキャップ３をアンロック位置で下方向ｚに駆動して、炎を出した使用状態の外観を示す。
【００２１】
図２に、ケース１に挿入する前の、燃料槽４とそれに組み付けられたケース内要素を示す。燃料槽４の上端から突出する燃料放出ノズル４２の、燃料槽４内の部分には弁機構があり、ノズル４２をレバー６で上駆動すると、弁開となって、ノズル４２の上端から燃料ガスが流出する。ノズル４２の上端には、高圧電気スパークによる燃料着火を確実にするための金属コイル４３が装着されている。
【００２２】
燃料槽４の上面から一対の支幹７，８が立っており、これに昇降ガイド９が固着されている。燃料槽４のブロックには、圧電ユニット５の本体部分を収容する穴があいており、そこに圧電ユニット５が挿入されている。圧電ユニット５の高圧電気リードの先端５２は、昇降ガイド９で支持され、金属コイル４３に対向する。圧電ユニット５のもう１つの極（機器アース極）は、金属レバー６，ノズル４２およびその先端の金属コイル４３と電気的に接続されている。圧電ユニット５の打撃操作子５１を押し下げると、圧電ユニット５内の圧縮コイルスプリングが圧縮され、所定ストローク押し下げられたところで圧縮コイルスプリングで押されているプランジャ（打撃子）の係止が外れて、圧縮コイルスプリングの反発力でプランジャが駆動されて圧電素子を打ち、圧電素子が高電圧を発生する。これにより高圧電気リードの先端５２と金属コイル４３との間に、高圧電気スパークを発生する。このときノズル４２から燃料ガスが流出していると、着火して炎となる。
【００２３】
図３に、圧電ユニット５の打撃操作子５１に被せる着火ボタン２ならびに該着火ボタン２に被せるロックキャップ３を拡大して示す。着火ボタン２は、大略で、打撃操作子５１を受入れる底穴が開いた倒立四角筒の、ノズル４２（炎口１１）側の壁面すなわち前壁面の下方大部分を切除したキャップ形状である。前壁面から倣い突起２２が突出している。この倣い突起２２は、昇降ガイド９（図２）の、上下方向ｚに伸びる案内溝９１に嵌り込む形状であり、該着火ボタン２を打撃操作子５１に被せかつ倣い突起２２を案内溝９１に嵌め込むと、着火ボタン２は上下方向ｚのみに移動可となる。
【００２４】
着火ボタン２の厚み（ｘ方向）は、ケース１の内空間の厚みよりわずかに小さいので、着火ボタン２は、ケース１の下開口からケース１内に挿入することができ、また、ケース１の上隅開口１３（図２）からも、ケース内に挿入することができる。着火ボタン２を、図２に示す打撃操作子５１に被せかつ着火ボタン２の倣い突起２２を案内溝９１に嵌め込んで、燃料槽４と一体に、ケース１の下開口から挿入して、ケース１の上隅開口１３に着火ボタン２を露出させる組み立てが、組み付け作業性が高い。
【００２５】
着火ボタン２の２側面には、後壁面の直前から前壁面に及んで前壁面に開いた横方向ｙに伸びる摺動案内溝２１ａ，２１ｂがある。
【００２６】
ロックキャップ３は、大略で、着火ボタン２の頭部を受入れる底穴が開いた倒立四角筒の、ノズル４２（炎口１１）側の壁面すなわち前壁面のほとんどを切除したキャップ形状である。前壁面から、横方向ｙに延びる係止条体３３ａ，３３ｂの先端部分（係止体）が突出している。この係止条体３３ａ，３３ｂは、着火ボタン２の摺動案内溝２１ａ，２１ｂに嵌り込んで、溝２１ａ，２１ｂに沿って横移動できる。ロックキャップ３はやや軟性の合成樹脂で作られているので、その下開口に着火ボタン２を受入れて、着火ボタン２に対して相対的に下方に強く押すことにより、係止条体３３ａ，３３ｂ間のギャップが少し開いて係止条体３３ａ，３３ｂが着火ボタン２の頭頂部を乗り超えて、摺動案内溝２１ａ，２１ｂに嵌り込む。これにより、ロックキャップ３が、横方向ｙに移動自在に、着火ボタン２に結合したことになる。
【００２７】
着火ボタン２を、図２に示す打撃操作子５１に被せかつ着火ボタン２の倣い突起２２を案内溝９１に嵌め込んで、燃料槽４と一体に、ケース１の下開口から挿入して、ケース１の上隅開口１３に着火ボタン２が露出した状態で、ロックキャップ３を、その係止条体３３ａ，３３ｂの先端をケース１の上隅開口１３からケース上壁の下方に差し込んでから、上述のように、着火ボタン２に結合することにより、図１の（ａ）に示すようにライターが組みあがる。
【００２８】
なお、燃料槽４とケース１は、両者が相対的に上下方向ｚにずれないように固定される。この固定は、本実施例では、燃料槽４とケース１の下端部の、一方に立てた極く低い小さな爪と、他方の、それを受入れる溝との嵌め合せであるが、ケース１の穴を通してピンを支幹７，８のピン穴に差込むピン結合、あるいは、燃料槽４の下端部の外表面にわずかな接着剤を塗布してからケース１にその下開口から燃料槽をその上端部から挿入する接着法を採用することもできる。
【００２９】
ロックキャップ３のｘ方向の厚み（外表面間）は、ケース１の横方向該当部位の厚みと同一である。
【００３０】
再度図２を参照する。支幹７，８には、着火ボタン２に結合したロックキャップ３がロック位置（図１の（ａ））にあって、その係止条体３３ａ，３３ｂが、横方向ｙで最もノズル４２に近い位置に突出しているとき、係止条体３３ａ，３３ｂの先端の下方に位置する止め段面（ストッパ）８ａ（図１の（ｃ），（ｆ），（ｈ））がある。
【００３１】
再度図１を参照する。ロックキャップ３が図１の（ａ）に示すロック位置にあるときには、（ｂ）に示すように、ロックキャップ３の係止条体３３ａ，３３ｂの先端が、着火ボタン２の倣い突起２２よりもノズル４２に近いに突出し、（ｃ）に示すように支幹７，８の止め段面８ａの上に位置するので、ロックキャップ３を押し下げようとしても、下がらない（ロック状態）。
【００３２】
ロックキャップ３を横方向ｙにスライドして、（ｄ）に示すアンロック位置に置くと、（ｅ）に示すように、ロックキャップ３の係止条体３３ａ，３３ｂの先端が、着火ボタン２の倣い突起２２と同程度の横位置となり、（ｆ）に示すように支幹７，８の止め段面８ａの上方から外れた位置になるので、ロックキャップ３を押し下げることが可能になる（アンロック状態）。
【００３３】
ロックキャップ３をアンロック位置におき、更に下方向ｚに押し下げると、これによって着火ボタン２が降下して、レバー６を回動駆動しこれによりノズル４２が引きあげられて燃料ガスを放出し始める。その後圧電ユニット５が高電圧を発生し、電気リードの先端５２（図２）と金属コイル４３との間に高圧電気スパークを生じ、ノズル４２から流出する燃料ガスが炎となって、炎口１１から立上る。この状態を図１の（ｇ）および（ｈ）に示す。
【００３４】
ロックキャップ３を押えるのをやめると、圧電ユニット５の内部のコイルスプリングの反発力で着火ボタン２が押しあげられて、着火ボタン２およびロックキャップ３が上移動して、図１の（ｄ）に示す位置に戻る。ここでロックキャップ３をロック位置に戻すことにより、図１の（ａ），（ｃ）に示すロック状態となる。
【００３５】
なお、上述の実施例では、ロック位置でロックキャップ３の下方向ｚへの移動を阻止する係止体を、係止条体３３ａ，３３ｂの先端としている。すなわち係止条体と一体連続に形成している。しかしながら、係止体を係止条体とは分離したものとしても良い。更には、分離する態様では、着火ボタン２に係止条体を形成し、ロックキャップ２に摺動案内溝を形成しても良い。
【図面の簡単な説明】
【図１】本発明の１実施例を示す図面であり、（ａ）はロックキャップ３をロック位置に置いたライター全体の側面図、（ｂ）はそのロックキャップ３部の平面図、（ｃ）はロックキャップ３周りの縦断面図である。（ｄ）はロックキャップ３をアンロック位置に置いたライター全体の側面図、（ｅ）はそのロックキャップ３部の平面図、（ｆ）はロックキャップ３周りの縦断面図である。（ｇ）は使用状態のライター全体の側面図、（ｈ）はロックキャップ３周りの縦断面図である。
【図２】図１に示すライターの、外ケース１と燃料槽４の外観を示す斜視図である。
【図３】図１に示すライターの、外ケース１，着火ボタン２およびロックキャップ３の外観を示す斜視図である。
【符号の説明】
１：ケース            １１：炎口
１２：空気口          １３：上隅開口
２：着火ボタン        ２１ａ，２１ｂ：摺動案内溝
２２：倣い突起        ３：ロックキャップ
３１：上面壁          ３２ａ，３２ｂ：側面壁
３３ａ，３３ｂ：係止条体
４：燃料槽            ４２：燃料放出ノズル
４３：コイル          ５：圧電ユニット
５１：打撃操作子      ５２：電気リードの先端
６：レバー            ７，８：支幹
８ａ：止め段面        ９：昇降ガイド
９１：案内溝
【図１】
2004163067.tif 000003
【図２】
2004163067.tif 000004
【図３】
2004163067.tif 000005